(57)【要約】【課題】識別情報の取得からＲＯＭ層に記録されたプログラムなどを起動させるまでの処理時間を短縮する。【解決手段】２層以上の情報記録層を含んでおり、各情報記録層の情報は、再生光によって読み出すことが可能となっており、２層以上の情報記録層のうち、少なくとも一層が、ＲＥ／Ｒ層４であり、ＲＥ／Ｒ層４と異なる残りの情報記録層のうち、少なくとも一層が、ＲＯＭ層５であり、ＲＥ／Ｒ層４は、識別情報記録領域４１を含んでおり、識別情報記録領域４１に層間移動用Ｆｌａｇが記録されている。【選択図】図１
2010135044.tif 000002
【特許請求の範囲】
【請求項１】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域を含んでいる光情報記録媒体であって、
前記再生光の光スポット位置の前記第１情報記録層に含まれる前記識別情報記録領域から前記第２情報記録層への層間移動が許可されたことを示す層間移動許可情報が、前記識別情報記録領域に記録されていることを特徴とする光情報記録媒体。
【請求項２】
前記層間移動は、前記第１情報記録層に含まれる前記識別情報記録領域から前記第２情報記録層における自媒体の内周側への層間移動であることを特徴とする請求項１に記載の光情報記録媒体。
【請求項３】
前記層間移動は、前記第１情報記録層に含まれる前記識別情報記録領域から前記第２情報記録層における自媒体の外周側への層間移動であることを特徴とする請求項１に記載の光情報記録媒体。
【請求項４】
前記層間移動は、前記第１情報記録層に含まれる前記識別情報記録領域から前記第２情報記録層への最短距離の層間移動であることを特徴とする請求項１に記載の光情報記録媒体。
【請求項５】
前記層間移動は、前記第１情報記録層に情報が記録される前に行われることを特徴とする請求項１から４までのいずれか１項に記載の光情報記録媒体。
【請求項６】
前記第１情報記録層は、前記光情報記録媒体における情報の記録及び再生を管理するための管理情報が予め記録される管理情報記録領域を含んでおり、
前記層間移動は、前記管理情報記録領域に記録されている前記管理情報が再生される前に行われることを特徴とする請求項１から５までのいずれか１項に記載の光情報記録媒体。
【請求項７】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置であって、
前記識別情報記録領域から前記識別情報を再生する識別情報再生制御手段と、
前記識別情報再生制御手段によって再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御手段と、
前記第２情報記録層に予め記録されている情報の再生を行う再生制御手段とを備えていることを特徴とする光情報記録再生装置。
【請求項８】
前記識別情報記録領域に、前記層間移動が許可されたことを示す層間移動許可情報が記録されており、
前記識別情報再生制御手段は、前記識別情報記録領域から前記層間移動許可情報を再生し、
前記層間移動制御手段は、前記識別情報再生制御手段によって前記層間移動許可情報が再生されている場合に、前記層間移動を行うことを特徴とする請求項７に記載の光情報記録再生装置。
【請求項９】
前記層間移動が許可されたことを示す層間移動許可情報を、前記識別情報記録領域に記録する記録制御手段を備えており、
前記識別情報再生制御手段は、前記識別情報記録領域から前記層間移動許可情報を再生し、
前記層間移動制御手段は、前記識別情報再生制御手段によって前記層間移動許可情報が再生されている場合に、前記層間移動を行うことを特徴とする請求項７に記載の光情報記録再生装置。
【請求項１０】
前記層間移動は、前記第１情報記録層から前記第２情報記録層における自媒体の内周側への層間移動であることを特徴とする請求項７から９までのいずれか１項に記載の光情報記録再生装置。
【請求項１１】
前記層間移動は、前記第１情報記録層から前記第２情報記録層における自媒体の外周側への層間移動であることを特徴とする請求項７から９までのいずれか１項に記載の光情報記録再生装置。
【請求項１２】
前記層間移動は、前記第１情報記録層から前記第２情報記録層への最短距離の層間移動であることを特徴とする請求項７から９までのいずれか１項に記載の光情報記録再生装置。
【請求項１３】
前記層間移動は、前記第１情報記録層に情報が記録される前に行われることを特徴とする請求項７から１２までのいずれか１項に記載の光情報記録再生装置。
【請求項１４】
前記第１情報記録層は、前記光情報記録媒体における情報の記録及び再生を管理するための管理情報が予め記録される管理情報記録領域を含んでおり、
前記層間移動は、前記管理情報記録領域に記録されている前記管理情報が再生される前に行われることを特徴とする請求項７から１３までのいずれか１項に記載の光情報記録再生装置。
【請求項１５】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置の制御方法であって、
前記識別情報記録領域から前記識別情報を再生する識別情報再生制御工程と、
前記識別情報再生制御工程で再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御工程と、前記第２情報記録層に予め記録されている情報の再生を行う再生制御工程とを含んでいることを特徴とする光情報記録再生装置の制御方法。
【請求項１６】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域を含んでいる光情報記録媒体であって、
前記第１情報記録層及び前記第２情報記録層は、前記再生光による前記識別情報の読み出しに起因して、前記再生光の光スポット位置を前記第１情報記録層から前記第２情報記録層へ層間移動させることができるように構成されていることを特徴とする光情報記録媒体。
【請求項１７】
前記第２情報記録層は、該記録層の再生を管理するための管理情報が予め記録される管理情報記録領域を含んでおり、
前記識別情報記録領域と前記管理情報記録領域とは、自媒体の半径方向に沿って近接するように配置されていることを特徴とする請求項１６に記載の光情報記録媒体。
【請求項１８】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域と該記録層の記録及び再生を管理するための管理情報が予め記録される管理情報記録領域とを含んでいる光情報記録媒体であって、
前記再生光の光スポット位置の前記第１情報記録層に含まれる前記管理情報記録領域から前記第２情報記録層への層間移動が許可されたことを示す層間移動許可情報が、前記管理情報記録領域にさらに記録されていることを特徴とする光情報記録媒体。
【請求項１９】
前記第１情報記録層は、ユーザが所望の情報を記録することが可能なユーザ記録領域をさらに含んでおり、
前記管理情報記録領域は、自媒体の半径方向に沿って前記ユーザ記録領域の内周側に配置されていることを特徴とする請求項１８に記載の光情報記録媒体。
【請求項２０】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置であって、
前記識別情報記録領域から前記識別情報を再生する識別情報再生制御手段と、
前記識別情報再生制御手段によって再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御手段と、
前記第２情報記録層に予め記録されている情報の再生を行う再生制御手段と
を備えていることを特徴とする光情報記録再生装置。
【請求項２１】
前記第１情報記録層は、ユーザが所望の情報を記録することが可能なユーザ記録領域をさらに含んでおり、
前記層間移動は、前記ユーザ記録領域に情報が記録される前に行われることを特徴とする請求項２０に記載の光情報記録再生装置。
【請求項２２】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置の制御方法であって、
前記識別情報記録領域から前記識別情報を再生する識別情報再生制御工程と、
前記識別情報再生制御工程で再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御工程と、
前記第２情報記録層に予め記録されている情報の再生を行う再生制御工程と
を含んでいることを特徴とする光情報記録再生装置の制御方法。
【請求項２３】
請求項７から１４、２０、２１までのいずれか１項に記載の光情報記録再生装置における各手段としてコンピュータを動作させるための光情報記録再生プログラム。
【請求項２４】
請求項２３に記載の光情報記録再生プログラムを記録したコンピュータ読み取り可能な記録媒体。
【発明の詳細な説明】
【技術分野】
【０００１】
本発明は、光情報記録媒体、光情報記録再生装置及びその制御方法、光情報記録再生プログラム並びにコンピュータ読み取り可能な記録媒体に関するものであり、より詳細には、情報記録層を２層以上有し、前記複数の情報記録層の中に他の層と異なる記録特性をもつ情報記録層が存在する多層光情報記録媒体などに関するものである。
【背景技術】
【０００２】
近年、画像等の膨大な情報処理のために、光情報記録媒体の記録容量の向上が求められている。
【０００３】
光情報記録媒体の記録容量を向上させる一方法としては、光情報記録媒体の情報記録層の多層化が考えられる。例えば、現在のところ、ＤＶＤ（Digital Versatile Disc）やＢＤ（Blu-ray Disc；登録商標）等において情報記録層を２層まで有する多層光情報記録媒体が規格化され、販売されている。
【０００４】
ところで、２層以上の情報記録層を有する多層光情報記録媒体においては、再生光入射側から遠い方の情報記録層に記録された情報を再生するためには、再生光入射側に近い方の情報記録層において再生光を透過させる必要があるので、再生光入射側に近い方の情報記録層の反射率を低く設定する必要があるという問題点がある。また、多層化に伴って再生光入射側から遠い方の情報記録層からの戻り光の強度が小さくなってしまうという問題点もある。
【０００５】
このような問題点の存在により、特に、情報の書き換え可能な情報記録層の多層化は、困難な状況であり、現在のところ２層が限界となっている。
【０００６】
そこで、近年、情報の書き換え可能な情報記録層以外に、様々なコンテンツが記録されている情報記録層で、かつ再生のみ可能な再生専用の情報記録層又は追記録可能な情報記録層を追加して記録容量を向上させた光情報記録媒体（以下、「ハイブリッド光情報記録媒体」という）が求められてきている。
【０００７】
なお、以下、前記書き換え可能な情報記録層をＲＥ（RE-writable）層と呼び、前記再生専用の情報記録層をＲＯＭ（Read Only Memory）層と呼び、前記追記録可能な情報記録層をＲ（Recordable）層と呼ぶ。
【０００８】
このような、ハイブリッド光情報記録媒体に関する従来技術の一例として特許文献１には、２層以上の光ディスクにおいて、再生光の入射面から所定距離以遠の層をＲＥ層とし、所定距離より近い層をＲＯＭ層とした光ディスクが開示されている。
【０００９】
特許文献１の光ディスクは、前記構造を有することにより、ＲＥ層における記録状態と未記録状態との混在が、ＲＯＭ層の再生時に影響しないようにしている。
【００１０】
ところで、ハイブリッド光情報記録媒体における情報の記録・再生を行う光情報記録再生装置においては、光情報記録媒体が何層の情報記録層からなり、また、各情報記録層がどのような記録特性を持っているのか等を特定する必要があるが、このような光情報記録媒体の構造を示す情報として識別情報が用いられている。
【００１１】
また、非特許文献１によれば、現在、市販されているＢＤディスクの識別情報は、再生光の入射面から最遠の層に設けられているとの記載がある。
【先行技術文献】
【特許文献】
【００１２】
【特許文献１】特開２００２−３０４７３０号公報（２００２年１０月１８日公開）
【非特許文献】
【００１３】
【非特許文献１】小川博司、田中伸一監修「ブルーレイディスク読本」オーム社、平成１８年１２月１０日発行、P.161-162
【発明の概要】
【発明が解決しようとする課題】
【００１４】
しかしながら、前記従来のハイブリッド光情報記録媒体にて、識別情報が、再生光の入射面から最遠の層に設けられているとした場合、例えば、特許文献１に開示された、再生光の入射面側から奥がＲＥ層、手前がＲＯＭ層の光ディスクでは、まず、最遠のＲＥ層にある識別情報にアクセスする必要がある。
【００１５】
そうすると、ＲＯＭ層に光情報記録再生装置を動作させるためのソフトウェアプログラムなどが記録されている場合には、最初にＲＥ層の識別情報を読み、そのまま同じＲＥ層のユーザ領域にアクセスし、その後にＲＯＭ層にアクセスすることになり、識別情報を読んでからソフトウェアプログラムを起動させるまでの処理時間が長くなってしまうという問題点がある。
【００１６】
ここで、光情報記録再生装置を動作させるためのソフトウェアプログラム（例えば、ＯＳ：operating systemなど）を起動させる場合、識別情報を読んだ後、ＲＯＭ層に記録された情報を最初に読むというのが一般的であるという理由について説明する。
【００１７】
まず、ＲＯＭ層に記録されるということは、その光情報記録媒体を扱うときに、その内容を変えることなく使用される情報が記録されていることになる。すなわち、必ずアクセスすべき内容が記録されているとも言える。
【００１８】
例えば、上述の例のように、光情報記録再生装置を動作させるためのソフトウェアプログラムがＲＯＭ層に記録されている場合、ＲＥ層への記録を行うよりも、ＲＯＭ層を再生することが優先されることが好ましい。
【００１９】
本発明は、前記従来の問題点に鑑みなされたものであって、その目的は、識別情報の取得からＲＯＭ層に記録されたプログラムなどを起動させるまでの処理時間の短縮が可能な光情報記録媒体などを提供することにある。
【課題を解決するための手段】
【００２０】
本発明の光情報記録媒体は、前記課題を解決するために、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体であって、前記再生光の光スポット位置の前記第１情報記録層に含まれる前記識別情報記録領域から前記第２情報記録層への層間移動が許可されたことを示す層間移動許可情報が、前記識別情報記録領域に記録されていることを特徴としている。
【００２１】
前記構成によれば、光情報記録媒体は、２層以上の情報記録層を含んでおり、前記各情報記録層の情報は、再生光によって読み出すことが可能となっている。
【００２２】
ここで「情報記録層」は、例えば、情報が記録される情報記録領域若しくは情報記録面を含んでおり、特定の記録特性を備える反射膜や記録膜等からなる単膜、多層膜、又は２層間の界面における媒体面方向（再生光の入射面の面内方向）の所定範囲を指す。
【００２３】
ここで、本発明の光情報記録媒体に記録される情報は、光情報記録媒体の出荷時に予め情報が記録される場合、出荷後にユーザによって情報が記録される場合及び出荷後に以下で説明する光情報記録再生装置の動作において情報が記録される場合などを含む概念である。
【００２４】
また、光情報記録媒体は、少なくとも一層が、情報を書き換えることが可能な又は情報を追記録することのみが可能な第１情報記録層（以下、単に「ＲＥ層又はＲ層」という）である。
【００２５】
また、前記第１情報記録層と異なる残りの情報記録層のうち、少なくとも一層が情報を読み出すことのみ可能な第２情報記録層（以下、単に「ＲＯＭ層」という）である。
【００２６】
すなわち、光情報記録媒体は、ＲＯＭ層、ＲＥ層及びＲ層といった記録特性の異なる情報記録層が多層化されたいわゆるハイブリッド光情報記録媒体である。
【００２７】
また、「追記録することのみが可能」とは、情報の読み出しは可能であり、記録において、追記録のみ可能であることを指す。
【００２８】
また、前記構成によれば、ＲＥ層若しくはＲ層は、自媒体の構造を示す識別情報が予め記録される識別情報記録領域を含んでいる。
【００２９】
ところで、以下で説明する本発明の光情報記録再生装置においては、光情報記録媒体が何層の情報記録層からなり、また、各情報記録層がどのような記録特性を持っているのか等を特定する必要があるが、「識別情報」とは、このような光情報記録媒体の構造を示す情報のことである。
【００３０】
また、前記構成によれば、前記再生光の光スポット位置のＲＥ層若しくはＲ層に含まれる前記識別情報記録領域からＲＯＭ層への層間移動が許可されたことを示す層間移動許可情報が、前記識別情報記録領域に記録されている。
【００３１】
ここで、「層間移動が許可されたことを示す層間移動許可情報」は、層間移動許可情報を認識した直後に層間移動させても良いし、必ずしも層間移動許可情報を認識した直後に層間移動させなくても良い。すなわち、層間移動許可情報は、層間移動の許可があったことを認識させるための情報であり、層間移動許可情報を認識した後は、識別情報記録領域に記録されている情報をすべて読みきるまでの間であれば、いつ層間移動が行われても良い。
【００３２】
また、「層間移動許可情報」が記録される位置は、識別情報記録領域の情報の記録開始位置から記録終了位置までの間であれば、どこに記録されていても良い。なお、「層間移動許可情報」が、識別情報記録領域の情報の記録終了位置に記録された場合は、識別情報記録領域に記録されている情報をすべて読んだ後、層間移動許可情報層が認識された直後に層間移動させることになる。
【００３３】
したがって、例えば、ＲＥ層若しくはＲ層における識別情報記録領域に予め記録されている識別情報を読み出している間に、層間移動許可情報が認識された場合、前記識別情報の読み出しにより本発明の光情報記録媒体の構造が特定できた段階で、予め定められた前記層間移動を行うように光情報記録再生装置を構成すれば、識別情報を取得して光情報記録媒体の構造の特定ができた後、そのまま同じＲＥ層又はＲ層に光スポットを移動させることなく、ＲＯＭ層に移動させて、ＲＯＭ層に記録された情報（例えば、ソフトウェアなどのプログラム）を読むことが可能となる。
【００３４】
これにより、識別情報の取得からＲＯＭ層に記録されたプログラムなどを起動させるまでの処理時間の短縮が可能となる。
【００３５】
また、本発明の光情報記録再生装置は、前記課題を解決するために、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置であって、前記識別情報記録領域から前記識別情報を再生する識別情報再生制御手段と、前記識別情報再生制御手段によって再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御手段と、前記第２情報記録層に予め記録されている情報の再生を行う再生制御手段とを備えていることを特徴としている。
【００３６】
また、本発明の光情報記録再生装置の制御方法は、前記課題を解決するために、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置の制御方法であって、前記識別情報記録領域から前記識別情報を再生する識別情報再生制御工程と、前記識別情報再生制御工程で再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御工程と、前記第２情報記録層に予め記録されている情報の再生を行う再生制御工程とを含んでいることを特徴としている。
【００３７】
前記構成又は前記方法によれば、光情報記録再生装置は又はその制御方法では、前記識別情報記録領域から前記識別情報を再生する識別情報再生制御手段を備える又は識別情報再生制御工程を含んでいる。これにより、識別情報を取得できるので、光情報記録媒体の構造を特定することができる。
【００３８】
また、前記構成又は前記方法によれば、光情報記録再生装置は又はその制御方法では、前記識別情報再生制御手段によって又は識別情報再生制御工程で再生された前記識別情報から前記光情報記録媒体の構造が特定された場合に、前記層間移動を行う層間移動制御手段を備える又は層間移動制御工程を含んでいる。
【００３９】
これにより、識別情報から光情報記録媒体の構造が特定された場合に、光スポット位置を層間移動させることができる。
【００４０】
また、前記構成又は前記方法によれば、ＲＯＭ層に予め記録されている情報の再生を行う再生制御手段を備える又は再生制御工程を含んでいる。
【００４１】
したがって、ＲＥ層若しくはＲ層における識別情報記録領域に予め記録されている識別情報の読み出しにより本発明の光情報記録媒体の構造が特定できた段階で、予め定められた前記層間移動を行い、ＲＯＭ層に予め記録されている情報の再生を行うことができるので、識別情報を取得して光情報記録媒体の構造の特定ができた後、そのまま同じＲＥ層又はＲ層に光スポットを移動させることなく、ＲＯＭ層に移動させて、ＲＯＭ層に記録された情報（例えば、ソフトウェアなどのプログラム）を読むことが可能となる。
【００４２】
これにより、識別情報の取得からＲＯＭ層に記録されたプログラムなどを起動させるまでの処理時間の短縮が可能となる。
【００４３】
また、本発明の光情報記録再生装置は、前記構成に加えて、前記識別情報記録領域に、前記層間移動が許可されたことを示す層間移動許可情報が記録されており、前記識別情報再生制御手段は、前記識別情報記録領域から前記層間移動許可情報を再生し、前記層間移動制御手段は、前記識別情報再生制御手段によって前記層間移動許可情報が再生されている場合に、前記層間移動を行っても良い。
【００４４】
これにより、層間移動許可情報を有する光情報記録媒体を使用して識別情報の取得からＲＯＭ層に記録されたプログラムなどを起動させるまでの処理時間の短縮が可能となる。
【００４５】
また、本発明の光情報記録再生装置は、前記構成に加えて、前記層間移動が許可されたことを示す層間移動許可情報を、前記識別情報記録領域に記録する記録制御手段を備えており、前記識別情報再生制御手段は、前記識別情報記録領域から前記層間移動許可情報を再生し、前記層間移動制御手段は、前記識別情報再生制御手段によって前記層間移動許可情報が再生されている場合に、前記層間移動を行っても良い。
【００４６】
これにより、本発明の光情報記録再生装置により、識別情報記録領域に層間移動許可情報が記録されていない光情報記録媒体から識別情報記録領域に層間移動許可情報が記録された光情報記録媒体を作成することが可能となるので、この光情報記録媒体を使用することで、識別情報の取得からＲＯＭ層に記録されたプログラムなどを起動させるまでの処理時間の短縮が可能となる。
【００４７】
また、本発明の光情報記録媒体、光情報記録再生装置及びその制御方法は、前記構成又は方法に加えて、前記層間移動は、前記第１情報記録層に含まれる前記識別情報記録領域から前記第２情報記録層における自媒体の内周側への層間移動であっても良い。
【００４８】
前記構成及び方法によれば、ＲＥ層又はＲ層にある識別情報が、自媒体の内周側にある前提では、識別情報管理領域に記録されている識別情報を再生して光情報記録媒体の構造の特定を行い、その後、ＲＯＭ層の予め情報が記録された領域まで光スポットを移動させる距離を短くできるので、識別情報の取得からＲＯＭ層に記録されたプログラムなどを起動させるまでの処理時間を短縮することができる。
【００４９】
また、本発明の光情報記録媒体、光情報記録再生装置及びその制御方法は、前記構成又は方法に加えて、前記層間移動は、前記第１情報記録層に含まれる前記識別情報記録領域から前記第２情報記録層における自媒体の外周側への層間移動であっても良い。
【００５０】
前記構成及び方法によれば、ＲＥ層又はＲ層にある識別情報が、自媒体の内周側にある前提では、ＲＥ層又はＲ層の識別情報の記録された識別情報記録領域から、ＲＯＭ層の予め情報が記録された領域まで光スポットを移動させ、その後、光スポットは、外周側からスタートし、内周側へ移動することになる。
【００５１】
よって、例えば、ＲＯＭ層に予め記録された情報を再生した後、内周側スタートのＲＥ層又はＲ層へアクセスする際、光スポットを移動させる距離が短くすむため、速やかに記録動作に入ることができる。
【００５２】
また、本発明の光情報記録媒体、光情報記録再生装置及びその制御方法は、前記構成又は方法に加えて、前記層間移動は、前記第１情報記録層に含まれる前記識別情報記録領域から前記第２情報記録層への最短距離の層間移動であることが好ましい。
【００５３】
前記構成又は方法によれば、識別情報の取得からＲＯＭ層に記録されたプログラムなどを起動させるまでの処理時間を最短にすることができる。
【００５４】
「最短距離」の例としては、各情報記録層が、再生光の入射面の面内方向に沿って互いに平行に形成されている場合、光スポット位置の層間移動における移動前のＲＥ層又はＲ層の情報記録領域上の位置を通り、再生光の入射面における法線方向に沿う直線と、ＲＯＭ層の情報記録面との交点の位置をとった場合の、ＲＥ層又はＲ層の情報記録領域上の位置及びＲＯＭ層の情報記録面との交点の位置間の距離が例示できる。
【００５５】
また、ＲＯＭ層が２層以上存在している場合には、複数のＲＯＭ層の情報記録面との前記交点の位置のうち、光スポット位置の層間移動における移動前のＲＥ層又はＲ層の情報記録領域上の位置に最も近い交点の位置が例示できる。
【００５６】
また、本発明の光情報記録媒体、光情報記録再生装置及びその制御方法は、前記構成又は方法に加えて、前記層間移動は、前記第１情報記録層に情報が記録される前に行われることが好ましい。
【００５７】
前記構成又は前記方法によれば、（前記記録制御手段によって）ＲＥ層又はＲ層に情報が記録される前に、ＲＯＭ層に予め記録されている情報を再生するので、識別情報の取得後に、ＲＥ層又はＲ層に情報が記録される場合と比較して、識別情報の取得からＲＯＭ層に記録されたプログラムなどを起動させるまでの処理時間を短縮することができる。
【００５８】
また、本発明の光情報記録媒体、光情報記録再生装置及びその制御方法は、前記構成又は方法に加えて、前記第１情報記録層は、前記光情報記録媒体における情報の記録及び再生を管理するための管理情報が予め記録される管理情報記録領域を含んでおり、前記層間移動は、前記管理情報記録領域に記録されている前記管理情報が再生される前に行われることが好ましい。
【００５９】
前記構成又は前記方法によれば、前記管理情報を再生する前に、ＲＯＭ層に予め記録されている情報を再生するので、識別情報の取得後に、前記管理情報を再生する場合よりも、識別情報の取得からＲＯＭ層に記録されたプログラムなどを起動させるまでの処理時間を短縮することができる。
【００６０】
本発明の光情報記録媒体は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体であって、前記第１情報記録層及び前記第２情報記録層は、前記再生光による前記識別情報の読み出しに起因して、前記再生光の光スポット位置を前記第１情報記録層から前記第２情報記録層へ層間移動させることができるように構成されていることを特徴としている。
【００６１】
前記構成では、例えば、第１情報記録層における識別情報記録領域に識別情報が予め記録されている場合には、再生光の光スポット位置の第１情報記録層に含まれる識別情報記録領域から第２情報記録層への層間移動が許可されているものとして認識される。
【００６２】
このため、前記構成によれば、第１情報記録層における識別情報記録領域に予め記録されている識別情報を読み出している間に光情報記録媒体の構造が特定できた段階で、予め定められた前記層間移動を光情報記録再生装置が行うことができるので、識別情報を取得して光情報記録媒体の構造の特定ができた後、そのまま同じ第１情報記録層に光スポットを移動させることなく、第２情報記録層に移動させて、第２情報記録層に記録された情報（例えば、ソフトウェアなどのプログラム）を読むことが可能となる。
【００６３】
これにより、識別情報の取得から第２情報記録そうに記録されたプログラムなどを起動させるまでの処理時間の短縮が可能となる。
【００６４】
前記第２情報記録層は、該記録層の再生を管理するための管理情報が予め記録される管理情報記録領域を含んでおり、前記識別情報記録領域と前記管理情報記録領域とは、自媒体の半径方向に沿って近接するように配置されていることが好ましい。
【００６５】
前記構成によれば、第１情報記録層の識別情報記録領域から第２情報記録層の管理情報記録領域への層間移動が最短距離で行われる。
【００６６】
このため、識別情報の取得後に直ちに管理情報を再生することができるので、第１情報記録層の管理情報記録領域に記録された管理情報を再生する場合と比較して、識別情報の取得から第２情報記録層に記録されたプログラムなどを起動させるまでの処理時間を短縮することができる。
【００６７】
本発明の光情報記録媒体は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が予め記録される管理情報記録領域とを含んでいる光情報記録媒体であって、前記再生光の光スポット位置の前記第１情報記録層に含まれる前記管理情報記録領域から前記第２情報記録層への層間移動が許可されたことを示す層間移動許可情報が、前記管理情報記録領域にさらに記録されていることを特徴としている。
【００６８】
前記構成では、ユーザによる第１情報記録層への情報の記録の開始前に、再生光の光スポット位置の第１情報記録層に含まれる識別情報記録領域から第２情報記録層への層間移動が実行されるように、層間移動許可情報が管理情報記録領域に記録されている。
【００６９】
このため、前記構成によれば、第１情報記録層にユーザが情報を記録する以前に、第２情報記録層に予め記録されている情報を再生するので、識別情報の取得から第２情報記録に記録されたプログラムなどを起動させるまでの処理時間を短縮することができる。
【００７０】
前記第１情報記録層は、ユーザが所望の情報を記録することが可能なユーザ記録領域をさらに含んでおり、前記ユーザ記録領域は、自媒体の半径方向に沿って前記管理情報記録領域に近接するように配置されていることが好ましい。
【００７１】
前記管理情報記録領域は、自媒体の半径方向に沿って前記ユーザ記録領域の内周側に配置されていることが好ましい。
【００７２】
前記構成では、第１情報記録層であるＲＥ層又はＲ層が内周から外周に向かって再生される光ディスクにおいて、ＲＥ層又はＲ層の管理情報記録領域が、ユーザ記録領域よりも内周側に配置されている。このため、ＲＥ層又はＲ層のユーザ記録領域に情報が記録される前に、管理情報記録領域が再生され、その後層間移動を行い、第２情報記録層であるＲＯＭ層に予め記録されている情報を再生する。したがって、層間移動許可情報の取得後に、ＲＥ層又はＲ層に情報が記録される場合と比較して、層間移動許可情報の取得からＲＯＭ層に記録されたプログラムなどを起動させるまでの処理時間を短縮することができる。
【００７３】
本発明の光情報記録再生装置は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置であって、前記識別情報記録領域から前記識別情報を再生する識別情報再生制御手段と、前記識別情報再生制御手段によって再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御手段と、前記第２情報記録層に予め記録されている情報の再生を行う再生制御手段とを備えていることを特徴としている。
【００７４】
また、本発明の光情報記録再生装置の制御方法は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置の制御方法であって、前記識別情報記録領域から前記識別情報を再生する識別情報再生制御工程と、前記識別情報再生制御工程で再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御工程と、前記第２情報記録層に予め記録されている情報の再生を行う再生制御工程とを含んでいることを特徴としている。
【００７５】
前記構成及び方法によれば、光情報記録媒体の第１情報記録層における管理情報記録領域に予め記録されている管理情報の読み出しにより光情報記録媒体の情報の記録及び再生を管理するための管理情報を取得できた段階で、予め定められた前記層間移動を行い、第２情報記録層に予め記録されている情報の再生を行うことができるので、ユーザによる第１情報記録層への情報の記録が開始する前に、光スポットを第２情報記録層に移動させて、第２情報記録層に記録された情報（例えば、ソフトウェアなどのプログラム）を読むことが可能となる。
【００７６】
これにより、識別情報の取得から第２情報記録層に記録されたプログラムなどを起動させるまでの処理時間の短縮が可能となる。
【００７７】
前記第１情報記録層は、ユーザが所望の情報を記録することが可能なユーザ記録領域をさらに含んでおり、前記層間移動は、前記ユーザ記録領域に情報が記録される前に行われることが好ましい。
【００７８】
前記構成によれば、第１情報記録層であるＲＥ層又はＲ層に情報が記録される前に、第２情報記録層であるＲＯＭ層に予め記録されている情報を再生するので、識別情報および管理情報の取得後にＲＥ層又はＲ層に情報が記録される場合と比較して、識別情報および管理情報の取得からＲＯＭ層に記録されたプログラムなどを起動させるまでの処理時間を短縮することができる。
【００７９】
なお、前記光情報記録再生装置及びその制御方法における各手段、各機能、各工程、各ステップ及び各処理のそれぞれは、コンピュータによって実現してもよく、この場合には、コンピュータを各手段として動作させ、コンピュータに各機能を実現させ、若しくはコンピュータに各工程、各ステップ及び各処理を実行させることにより前記光情報記録再生装置及びその制御方法を、コンピュータにて実現させる光情報記録再生プログラム及びそれを記録したコンピュータ読み取り可能な記録媒体も、本発明の範疇に入る。
【発明の効果】
【００８０】
本発明の光情報記録媒体は、以上のように、前記再生光の光スポット位置の前記第１情報記録層に含まれる前記識別情報記録領域から前記第２情報記録層への層間移動が許可されたことを示す層間移動許可情報が、前記識別情報記録領域に記録されているものである。
【００８１】
また、本発明の光情報記録再生装置は、以上のように、前記識別情報記録領域から前記識別情報を再生する識別情報再生制御手段と、前記識別情報再生制御手段によって再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御手段と、前記第２情報記録層に予め記録されている情報の再生を行う再生制御手段とを備えているものである。
【００８２】
また、本発明の光情報記録再生装置の制御方法は、以上のように、前記識別情報記録領域から前記識別情報を再生する識別情報再生制御工程と、前記識別情報再生制御工程で再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御工程と、前記第２情報記録層に予め記録されている情報の再生を行う再生制御工程とを含んでいる方法である。
【００８３】
それゆえ、識別情報の取得からＲＯＭ層に記録されたプログラムなどを起動させるまでの処理時間を短縮できるという効果を奏する。
【発明を実施するための形態】
【００８４】
以下、本発明の実施形態について、図面を参照しながら説明する。
【００８５】
（実施形態１）
本発明の実施形態１について図１〜図９に基づいて説明すれば、以下の通りである。
【００８６】
〔１．光情報記録媒体の構成〕
まず、図１に基づき、本発明の実施形態１である光ディスク（光情報報記録媒体）２の構成について説明する。図１は、本実施形態の光ディスク２を概念的に示す模式図である。
【００８７】
本実施形態の光ディスク２は、図１に示すように、少なくともＲＥ／Ｒ層（第１情報記録層）４及びＲＯＭ層（第２情報記録層）５を含んでおり、これらの各情報記録層の情報は、再生光によって読み出すことが可能となっている。
【００８８】
なお、光ディスク２では、情報記録層は、ＲＥ／Ｒ層４及びＲＯＭ層５の２層のみとなっているが、情報記録層は、３層以上であっても良い。また、ＲＥ／Ｒ層４は、ＲＥ層又はＲ層のいずれであっても良い。
【００８９】
ところで、ＲＯＭ層は、例えば、異なる材料の界面上に凹凸形状でのプリピット列が形成されて情報が記録される場合がある。そこで、以下では、ＲＯＭ層の場合、「情報記録面」に情報が記録されると言う場合がある。
【００９０】
一方、ＲＥ層若しくはＲ層の場合は、例えば、情報記録層の媒体表面方向における情報記録領域の物理的性質を変化させることにより情報が記録される。そこで、以下では、ＲＥ層若しくはＲ層の場合、「情報記録領域」に情報が記録されると言う場合がある。
【００９１】
すなわち、「情報記録層」は、以上のように、情報が記録される情報記録領域若しくは情報記録面を含んでおり、特定の記録特性を備える反射膜や記録膜等からなる単膜、多層膜、又は２層間の界面における媒体面方向（再生光の入射面の面内方向）の所定範囲を指す。
【００９２】
なお、上記のように、「情報記録層」を、「情報記録面」に情報が記録される場合と、「情報記録領域」に情報が記録される場合とに区別して説明すると煩雑となるので、以下では、原則として、「情報記録層に情報が記録される」などと言うことにする。
【００９３】
また、光ディスク２に記録される情報は、光ディスク２の出荷時に予め情報が記録される場合、出荷後にユーザによって情報が記録される場合及び出荷後に以下で説明する光ディスク装置（光情報記録再生装置）１の動作において情報が記録される場合などを含む概念である。
【００９４】
また、ＲＥ層は、いわゆる書き換え型の情報記録層であり、情報を書き換えることが可能な情報記録層である。
【００９５】
また、Ｒ層は、いわゆる追記録型の情報記録層であり、情報を追記録することのみが可能な情報記録層である。
【００９６】
さらに、ＲＯＭ層は、いわゆる再生専用型の情報記録層であり、情報を読み出すことのみ可能な情報記録層である。
【００９７】
すなわち、光ディスク２は、ＲＯＭ層、ＲＥ層及びＲ層といった記録特性の異なる情報記録層が多層化されたいわゆるハイブリッド光情報記録媒体である。
【００９８】
また、「追記録することのみが可能」とは、情報の読み出しは可能であり、記録において、追記録のみ可能であることを指す。
【００９９】
ＲＥ／Ｒ層４は、図１に示すように、識別情報記録領域４１、管理情報記録領域４２及びユーザ記録領域４３を含んでいる。
【０１００】
識別情報記録領域４１には、光ディスク２の構造を示す様々な識別情報が予め記録されている。
【０１０１】
また、管理情報記録領域４２には、光ディスク２における情報の記録及び再生を管理するための管理情報が予め記録されている。
【０１０２】
また、ユーザ記録領域４３には、ユーザが所望の情報を記録（又は追記録）することが可能な記録領域である。
【０１０３】
ところで、以下で説明するが、光ディスク装置１においては、光ディスク２などの光情報記録媒体が何層の情報記録層からなり、また、各情報記録層がどのような記録特性を持っているのか等を特定する必要があるが、「識別情報」とは、このような光情報記録媒体の構造を示す情報のことである。なお、本実施形態では、識別情報から、ＲＥ／Ｒ層４及びＲＯＭ層５があること、識別情報がＲＥ／Ｒ層４にあることなどを特定（識別）する。
【０１０４】
識別情報の具体例としては、図１に示す、ディスクの層のタイプ（再生専用型、追記型、書き換え型）、ディスクのサイズ、ディスクのバージョン（速度等に関連）、ディスクへの記録・再生の標準条件、サーボの極性、記録マークの極性及びディスク固有の番号などが例示できるが、これらの各識別情報の識別情報記録領域４１上の記録順序（又は配置方法）は、任意であってよい。なお、これらの記録順序は、通常規格などによって決められている。
【０１０５】
ここで、本実施形態の光ディスク２では、上記のような通常の識別情報の他に、識別情報記録領域４１に層間移動用Ｆｌａｇ（層間移動許可情報）が記録されている。
【０１０６】
層間移動用Ｆｌａｇは、再生光の光スポット位置のＲＥ／Ｒ層４に含まれる識別情報記録領域４１からＲＯＭ層５への層間移動（以下、単に「層間移動」という）が許可されたこと若しくは許可されていないことを示す情報である。
【０１０７】
より具体的には、層間移動用Ｆｌａｇが「０」に設定されている場合は、再生光の光スポット位置のＲＥ／Ｒ層４に含まれる識別情報記録領域４１からＲＯＭ層５への層間移動が許可されていないことを示す。
【０１０８】
一方、層間移動用Ｆｌａｇが「１」に設定されている場合は、層間移動が許可されていることを示す。
【０１０９】
なお、層間移動用Ｆｌａｇが「１」に設定されている場合でも、層間移動用Ｆｌａｇを認識した直後に層間移動させても良いし、必ずしも層間移動用Ｆｌａｇを認識した直後に層間移動させなくても良い。すなわち、層間移動用Ｆｌａｇは、層間移動の許可があったこと若しくは許可がないことを認識させるための情報であり、「１」に設定された層間移動用Ｆｌａｇを認識した後は、識別情報記録領域４１に記録されている情報をすべて読みきるまでの間であれば、いつ層間移動が行われても良い。
【０１１０】
また、層間移動用Ｆｌａｇが記録される位置は、識別情報記録領域４１の情報の記録開始位置から記録終了位置までの間であれば、どこに記録されていても良い。なお、層間移動用Ｆｌａｇが、識別情報記録領域４１の情報の記録終了位置に記録された場合は、識別情報記録領域４１に記録されている情報をすべて読んだ後、「１」に設定された層間移動用Ｆｌａｇ層間移動が認識された直後に層間移動させることになる。
【０１１１】
また、層間移動用Ｆｌａｇが「０」に設定されている場合には、層間移動を行わない通常の再生動作を行うようにすれば良い。
【０１１２】
なお、層間移動用Ｆｌａｇの値を「０」にしたり、「１」にしたりする設定については、ユーザが、以下で説明する操作部７を介して設定できるようにしても良いし、以下で説明する光ディスク装置１に光ディスク２などが装填された際に、以下で説明するディスク管理部２１が、設定できるようにしても良い。
【０１１３】
したがって、例えば、ＲＥ／Ｒ層４における識別情報記録領域４１に予め記録されている識別情報を読み出している間に、「１」に設定された層間移動用Ｆｌａｇが認識された場合、識別情報の読み出しにより光ディスク２の構造が特定できた段階で、予め定められた層間移動を行うように以下で説明する光ディスク装置１を構成すれば、識別情報を取得して光ディスク２の構造の特定ができた後、そのまま同じＲＥ／Ｒ層４に光スポットを移動させることなく、ＲＯＭ層５に移動させて、ＲＯＭ層５に記録された情報（例えば、ソフトウェアなどのプログラム）を読むことが可能となる。
【０１１４】
なお、図１では、以上の層間移動を概念的に示しており、光ピックアップ１２からの再生光のスポット位置が、層間ジャンプ開始位置ＳＰから、層間ジャンプ終了位置ＥＰに層間移動している様子を示している。
【０１１５】
ここで、層間ジャンプ開始位置ＳＰは、識別情報記録領域４１に予め記録されている識別情報から光ディスク２の構造が特定された時点での識別情報記録領域４１上の位置であっても良いし、光ディスク２の内周側（紙面左）から光ディスク２の外周側（紙面右）に向けて識別情報を読み取っていく場合、識別情報記録領域４１上の最右端の位置（識別情報がすべて再生された段階に相当、但し、識別情報記録領域４１に空き領域が存在しないと仮定している）であっても良い。また、これらの２つの位置間であれば、どの位置を層間ジャンプ開始位置ＳＰとしても良い。
【０１１６】
一方、層間ジャンプ終了位置ＥＰは、ＲＯＭ層５の情報記録面上であれば、いずれの位置であっても構わないが、識別情報の取得からＲＯＭ層５に記録されたプログラムなどを起動させるまでの処理時間の短縮する観点からは、内周側の情報記録面の端若しくは外周側の情報記録面の端のいずれかであることが好ましい。
【０１１７】
以上より、光ディスク２によれば、識別情報の取得からＲＯＭ層５に記録されたプログラムなどを起動させるまでの処理時間の短縮が可能となる。
【０１１８】
〔２．光情報記録再生装置の構成〕
次に、図２及び図３に基づき、本発明の実施形態１である光ディスク装置（光情報記録再生装置）１の構成について説明する。なお、〔２．光情報記録再生装置の構成〕において説明すること以外の構成は、〔１．光情報記録媒体の構成〕と同じである。また、説明の便宜上、〔１．光情報記録媒体の構成〕の図面に示した部材と同一の機能を有する部材については、同一の符号を付し、その説明を省略する。
【０１１９】
図２は、光ディスク装置１の本実施形態の概略構成を示すブロック図である。
【０１２０】
図２に示すように、光ディスク装置１は、主として格納部３、ディスク装填認識部６、記録再生回路群１０、光ヘッド１１、光ピックアップ１２、制御部２０を備えている。
【０１２１】
また、記録再生回路群１０は、主としてピックアップ駆動回路１３、レーザ駆動回路１４及び再生回路１５を備えている。
【０１２２】
また、光ディスク装置１は、光ディスク２を含むＤＶＤやＢＤなどの光情報記録媒体に対して情報の記録及び再生を行う装置である。
【０１２３】
図２に示すように、光ディスク装置１では、回転する光ディスク２の図示しないトラックへ、制御部２０がピックアップ駆動回路１３を介して光ピックアップ１２を移動させるようになっている。
【０１２４】
光ピックアップ１２には、光ヘッド１１が設けられている。そして、制御部２０がレーザ駆動回路１４を介して記録条件を設定し、光ヘッド１１から記録用のレーザビームを光ディスク２の記録部位に照射することによって、光ディスク２のトラックに情報が記録されるようになっている。
【０１２５】
また、光ディスク装置１は、制御部２０がピックアップ駆動回路１３を介して光ピックアップ１２を光ディスク２の記録部位へ移動させる。そして、制御部２０がレーザ駆動回路１４を介して光ヘッド１１から再生用のレーザビームを光ディスク２に照射するようになっている。
【０１２６】
光ヘッド１１が検出した反射光は、再生回路１５にて再生信号に変換され、制御部２０に入力される。これにより、光ディスク装置１は、光ディスク２のトラックに記録された情報を再生するようになっている。
【０１２７】
また、光ディスク装置１には、ディスク装填認識部６が設けられている。ディスク装填認識部６は、光ディスク２の装填を検出するためのものであり、例えば、各種センサが例示できるが、光ディスク２の装填を検出できるものであれば、どのようなセンサを用いても良い。
【０１２８】
また、ディスク装填認識部６は、検出した結果を検出信号として制御部２０へ出力するようになっている。
【０１２９】
操作部７は、ユーザが、光ディスク装置１に各種の操作命令を入力するためのものであり、例えば、操作ボタンとそのインターフェースなどが例示できる。
【０１３０】
次に、図３に基づき、光ディスク装置１における主要部（制御部２０など）の詳細について説明する。図３は、光ディスク装置１における主要部の構成を示すブロック図である。
【０１３１】
図３に示すように、格納部３は、プログラムやデータ等の各種情報が予め記録されている又は各種情報が記録される記録部である。格納部３は、ＲＡＭ（random access memory）で構成されていることが好ましいが、ＲＯＭを併用する構成であっても良い。
【０１３２】
また、格納部３は、主として識別情報再生データ記憶部３１、ＲＯＭ再生データ記憶部３２及びソフトウェアプログラム記憶部３３を含んでいる。なお、これらの各記憶部に記録される情報以外の情報が格納部３に記録される場合もあることは言うまでもない。
【０１３３】
例えば、以下で説明するように、上述した層間移動用Ｆｌａｇを生成し、層間移動用Ｆｌａｇを持たない光情報記録媒体に記録させるための情報や、層間移動用Ｆｌａｇを「０」又は「１」の値に設定するための情報、予め定められた層間移動の層間ジャンプ開始位置ＳＰ、層間ジャンプ終了位置ＥＰなどの各種情報も格納部３に記録される又は予め記録されているものとする。
【０１３４】
識別情報再生データ記憶部３１には、ＲＥ／Ｒ層４の識別情報記録領域４１に記録されている識別情報の再生データが記録される。
【０１３５】
ＲＯＭ再生データ記憶部３２には、ＲＯＭ層５に予め記録されている光ディスク装置１の動作を制御するプログラム（例えば、ＯＳ：operating systemなど）や、その他の各種データが記録される。
【０１３６】
ソフトウェアプログラム記憶部３３には、予め記録される光ディスク装置１を動作させるためのプログラムや、ＲＯＭ層５の再生データから得られるプログラム、若しくは、アプリケーションソフトなどが記録される。
【０１３７】
次に、図３に基づき、本実施形態の光ディスク装置１の主要部である制御部２０の詳細について説明する。
【０１３８】
図３に示すように、制御部２０は、主としてディスク管理部２１、再生制御部（再生制御手段，識別情報再生制御手段、層間移動制御手段）２２、ピックアップ制御部２３、レーザ制御部２４、ソフトウェアプログラム管理部２５及び記録制御部（記録制御手段）２６を備えている。
【０１３９】
ディスク管理部２１は、ディスク装填認識部６から光ディスク２が装填されたことを示す検出信号を受信したり、光ディスク２から取得した識別情報から光ディスク２の構造を特定したりして、再生制御部２２やソフトウェアプログラム管理部２５、記録制御部２６などを動作の制御などを行うものである。
【０１４０】
再生制御部２２は、主として識別情報再生指示部（識別情報再生制御手段）２２１、層間ジャンプ指示部（層間移動制御手段）２２２及び再生データ処理部２２３を備えている。
【０１４１】
再生制御部２２は、識別情報再生指示部２２１、層間ジャンプ指示部２２２及び再生データ処理部２２３を動作させて光ディスク２から識別情報を取得したり、光ディスク２のＲＯＭ層５を再生したデータを取得したりする制御を行うものである。
【０１４２】
識別情報再生指示部２２１は、ピックアップ制御部２３やレーザ制御部２４に指示して、光ディスク２の識別情報記録領域４１に記録されている識別情報の再生を制御するものである。これにより、光ディスク装置１は、識別情報を取得できるので、光ディスク２の構造を特定することができる。
【０１４３】
層間ジャンプ指示部２２２は、ディスク管理部２１によって光ディスク２の構造が特定された場合に、ディスク管理部２１からその旨の通知（媒体構造特定通知）、その光ディスク２の構造に関する情報を受信して、ピックアップ制御部２３やレーザ制御部２４に指示して、再生光の光スポット位置を、上述した層間ジャンプ開始位置ＳＰから層間ジャンプ終了位置ＥＰへ層間移動させる制御を行うものである。
【０１４４】
なお、〔１．光情報記録媒体の構成〕では、層間移動用Ｆｌａｇについて説明したが、本実施形態の光ディスク装置１は、この光ディスク２に記録されている層間移動用Ｆｌａｇを用いて、層間移動を制御する構成であっても良いし、層間移動用Ｆｌａｇが存在しない光情報記録媒体に対して、光ディスク装置１側の制御により層間移動を行うように構成しても良い。
【０１４５】
光ディスク装置１側の制御により層間移動を行う場合としては、例えば、ディスク管理部２１によって、光情報記録媒体の構造が特定されたことをトリガとして層間ジャンプ指示部２２２を動作させれば良い。
【０１４６】
これにより、識別情報から光情報記録媒体の構造が特定された場合に、光スポット位置を層間移動させることができる。
【０１４７】
また、再生データ処理部２２３は、再生回路１５から送信される各種再生データを処理（例えば、再生信号の補正処理や、アナログ／デジタル変換など）して、格納部３に処理を行った再生データを記録させるものである。
【０１４８】
また、再生データ処理部２２３は、例えば、ＲＯＭ層５に予め記録されているソフトウェアプログラムをソフトウェアプログラム記憶部３３に一時記録させ、一時記録させた旨をソフトウェアプログラム管理部２５に通知し、ソフトウェアプログラム管理部２５を動作させてソフトウェアプログラムを起動させる処理などを行うものである。
【０１４９】
ソフトウェアプログラム管理部２５は、光ディスク２のＲＯＭ層５や、格納部３に記録されている光ディスク装置１を動作させるためのＯＳなどのプログラムや、その他のアプリケーションプログラムの起動から終了までの処理を管理して各種プログラムによる動作を実現させるものである。
【０１５０】
また、光ディスク装置１は、光ディスク２のようにＲＥ／Ｒ層４の識別情報記録領域４１に、層間移動用Ｆｌａｇが記録されている場合は、識別情報再生指示部２２１が、この層間移動用Ｆｌａｇを再生し、識別情報再生指示部２２１が、「１」に設定された層間移動用Ｆｌａｇを再生していた場合に、層間ジャンプ指示部２２２が、層間移動を行うようにしても良い。
【０１５１】
これにより、層間移動用Ｆｌａｇを有する光ディスク２のような光情報記録媒体を使用して識別情報の取得からＲＯＭ層に記録されたプログラムなどを起動させるまでの処理時間の短縮が可能となる。
【０１５２】
また、光ディスク装置１は、層間移動用Ｆｌａｇが存在していない光情報記録媒体の識別情報記録領域（の空き領域）に、記録制御部２６が、層間移動用Ｆｌａｇを生成して、記録するようにしても良い。
【０１５３】
この場合、光ディスク装置１の識別情報再生指示部２２１は、識別情報と共に、記録制御部２６によって記録された層間移動用Ｆｌａｇを再生し、識別情報再生指示部２２１が、「１」に設定された層間移動用Ｆｌａｇを再生していた場合に、層間ジャンプ指示部２２２が、層間移動を行うようにしても良い。
【０１５４】
これにより、光ディスク装置１により、識別情報記録領域に層間移動用Ｆｌａｇが記録されていない光情報記録媒体から識別情報記録領域に層間移動用Ｆｌａｇが記録された光情報記録媒体を作成することが可能となるので、この光情報記録媒体を使用することで、識別情報の取得からＲＯＭ層に記録されたプログラムなどを起動させるまでの処理時間の短縮が可能となる。
【０１５５】
なお、記録制御部２６による層間移動用Ｆｌａｇの生成等が行われるタイミングとしては、ユーザが操作部７を介して記録制御部２６に対して層間移動用Ｆｌａｇが存在していない光情報記録媒体の識別情報記録領域（の空き領域）に、層間移動用Ｆｌａｇを生成して記録させる旨の指示（層間移動許可情報記録指示）を行った時点であっても良いし、ディスク管理部２１が、層間移動用Ｆｌａｇが記録されていない光情報記録媒体が装填されたことを認識した時点であっても良い。なお、後者の時点では、ディスク管理部２１が記録制御部２６に層間移動用Ｆｌａｇの生成等を行うよう指示する構成とすれば良い。
【０１５６】
以上によれば、光情報記録媒体（光ディスク２及び以下で説明する光ディスク２Ａ〜２Ｃのように層間移動用Ｆｌａｇを含む光情報記録媒体以外の光情報記録媒体も含む）のＲＥ層若しくはＲ層における識別情報記録領域に予め記録されている識別情報の読み出しにより光情報記録媒体の構造が特定できた段階で、予め定められた層間移動を行い、ＲＯＭ層に予め記録されている情報の再生を行うことができるので、識別情報を取得して光情報記録媒体の構造の特定ができた後、そのまま同じＲＥ層又はＲ層に光スポットを移動させることなく、ＲＯＭ層に移動させて、ＲＯＭ層に記録された情報（例えば、ソフトウェアなどのプログラム）を読むことが可能となる。
【０１５７】
これにより、識別情報の取得からＲＯＭ層に記録されたプログラムなどを起動させるまでの処理時間の短縮が可能となる。
【０１５８】
〔３．光情報記録再生装置の動作〕
次に、図４（ａ）〜図９に基づき、光ディスク装置１の動作の詳細について説明する。なお、〔３．光情報記録再生装置の動作〕において説明すること以外の構成は、〔１．光情報記録媒体の構成〕及び〔２．光情報記録再生装置の構成〕と同じである。また、説明の便宜上、〔１．光情報記録媒体の構成〕及び〔２．光情報記録再生装置の構成〕の図面に示した部材と同一の機能を有する部材については、同一の符号を付し、その説明を省略する。なお、以下の項目では、同様の説明を省略する。
【０１５９】
まず、図４（ａ）の動作フローは、ＲＯＭ層５が光ディスク２の内周側からスタートして、外周側へ再生されていく場合の動作フローを示し、図４（ｂ）の動作フローは、ＲＯＭ層５が光ディスク２の外周側からスタートして、内周側へ再生されていく場合の動作フローを示す。
【０１６０】
なお、図４（ａ）及び図４（ｂ）の動作フローのそれぞれは、光ディスク２のスパイラルの方向によって決まっている。
【０１６１】
本動作フローでは、光ディスク２を用いた場合について説明し、層間移動用Ｆｌａｇが常に「１」に設定されているものとする（すなわち、以下では、層間移動用Ｆｌａｇに関する説明は、省略する）。また、層間移動用Ｆｌａｇが存在するＲＥ／Ｒ層４の識別情報記録領域４１は光ディスク２の内周側に存在し、ユーザ記録領域４３は内周側スタートで外周側へ再生されていくことを前提とする。
【０１６２】
しかしながら、上記のような実施形態に本発明の適用範囲を限定する趣旨ではない。例えば、層間移動用Ｆｌａｇの無い光情報記録媒体の場合、上述したように、光ディスク装置１側の動作により、層間移動などの制御を行うよう光ディスク装置１を構成することも可能である。また、光ディスク装置１により光情報記録媒体を、層間移動用Ｆｌａｇを備えた構成にした後で、層間移動用Ｆｌａｇの値を「１」にして以下で説明する動作を行わせても良い。
【０１６３】
また、図４（ａ）のステップＳ３（以下、「ステップ」を省略する）及び図４（ｂ）のＳ１３以外の各ステップは、図４（ａ）及び図４（ｂ）で共通であるので、主として、図４（ａ）の動作フローについて説明し、図４（ｂ）の動作フローについては、Ｓ１３の動作フローのみについて説明する。
【０１６４】
まず、図４（ａ）の動作フローでは、Ｓ１で、光ディスク２が光ディスク装置１の所定の位置に装填されると、ディスク装填認識部６が、光ディスク２の装填を検出し、その検出信号（装填検出信号）が、制御部２０のディスク管理部２１に送信されてＳ２に進む。
【０１６５】
Ｓ２では、ディスク管理部２１が、ディスク装填認識部６からの装填検出信号を受信することをトリガとして、再生制御部２２の識別情報再生指示部２２１を動作させる。
【０１６６】
識別情報再生指示部２２１は、ピックアップ制御部２３にピックアップ駆動回路１３を動作させて光ピックアップの位置を制御させ、レーザ制御部２４にレーザ駆動回路１４を動作させて再生用レーザ（再生光）を光ディスク２に照射させる制御を行わせて、光ディスク２の識別情報記録領域４１に記録されている識別情報を再生し、その旨を再生データ処理部２２３に通知（識別情報再生通知）してＳ３に進む。
【０１６７】
Ｓ３では、識別情報再生通知を受けた再生データ処理部２２３が、再生回路１５から制御部２０に送信されてくるＳ２で再生された識別情報の再生データを、格納部３の識別情報再生データ記憶部３１に記録させて、その旨をディスク管理部２１に通知（識別情報取得通知）する。
【０１６８】
ディスク管理部２１は、識別情報取得通知を受けて、識別情報再生データ記憶部３１に記録された識別情報に基づいて光ディスク２の構造を特定し、特定された光ディスク２の構造に応じて、層間ジャンプ指示部２２２を動作させる。
【０１６９】
層間ジャンプ指示部２２２は、ピックアップ制御部２３に光ピックアップ１２の再生用レーザの光スポットを現在位置（層間ジャンプ開始位置ＳＰ）から予め定められた層間ジャンプ終了位置ＥＰに層間移動させてＳ４に進む。
【０１７０】
なお、図４（ａ）の動作フローでは、層間ジャンプ終了位置ＥＰは、光ディスク２のＲＯＭ層５の内周側に定められているものとする。
【０１７１】
このような層間移動の例としては、図５、図７及び図９のパターンなどが考えられる。
【０１７２】
図５は、光ディスク２で、ＲＯＭ層５の内周側に層間移動させた場合を示している。
【０１７３】
図７は、光ディスク２のＲＯＭ層５と同様のＲＯＭ層を２層（２層のＲＯＭ層５Ａ及びＲＯＭ層５Ｂは、再生光の入射方向の手前）備えた光ディスク２Ａで、ＲＯＭ層５Ｂに層間移動させた場合について示している。
【０１７４】
図９は、光ディスク２のＲＥ／Ｒ層４と同様のＲＥ／Ｒ層を再生光入射方向の手前とし、奥に２層のＲＯＭ層５Ａ及びＲＯＭ層５Ｂを設けた光ディスク２Ｃで、ＲＯＭ層５Ａに層間移動させた場合を示している。
【０１７５】
これらのパターンのように、層間ジャンプ終了位置ＥＰを、光ディスク２、光ディスク２Ａ及び光ディスク２Ｃの内周側に設定した場合は、識別情報記録領域４１に記録されている識別情報を再生して光ディスク２の構造の特定を行い、その後、ＲＯＭ層５（ＲＯＭ層５Ａ及びＲＯＭ層５Ｂ）の予め情報が記録された情報記録面上の位置（層間ジャンプ終了位置ＥＰ）まで光スポットを移動させる距離を短くできるので、識別情報の取得からＲＯＭ層５（ＲＯＭ層５Ａ及びＲＯＭ層５Ｂ）に記録されたプログラムなどを起動させるまでの処理時間を短縮することができる。
【０１７６】
また、図５、図７及び図９の層間移動では、すべてＲＥ／Ｒ層４の識別情報記録領域４１からＲＯＭ層５への最短距離の層間移動（紙面真上・真下に移動）となっている。
【０１７７】
このような層間移動によれば、識別情報の取得からＲＯＭ層５（ＲＯＭ層５Ａ及びＲＯＭ層５Ｂ）に記録されたプログラムなどを起動させるまでの処理時間を最短にすることができる。
【０１７８】
なお、「最短距離」の例としては、図５の例のように、ＲＯＭ層が一層の場合は、層間ジャンプ開始位置ＳＰを通り、再生光の入射面における法線方向に沿う直線と、ＲＯＭ層５の情報記録面との交点の位置をとった場合の、層間ジャンプ開始位置ＳＰ及びＲＯＭ層５の情報記録面との交点の位置間の距離が例示できる。
【０１７９】
また、ＲＯＭ層が２層以上存在している場合には、図７及び図９のように複数のＲＯＭ層（ＲＯＭ層５Ａ及びＲＯＭ層５Ｂ）の情報記録面との前記交点の位置のうち、層間ジャンプ開始位置ＳＰに最も近い交点の位置（図７では、ＲＯＭ層５Ｂ上、図９では、ＲＯＭ層５Ａ上）などが例示できる。
【０１８０】
さて、次に、Ｓ４では、層間ジャンプ指示部２２２による層間移動が終了したことをトリガとして、再生制御部２２が、ピックアップ制御部２３及びレーザ制御部２４を動作させて光ディスク２のＲＯＭ層５に予め記録されている情報を再生し、その旨を再生データ処理部２２３に通知（ＲＯＭ再生通知）する。
【０１８１】
再生データ処理部２２３は、ＲＯＭ再生通知を受けて、再生回路１５から送信されてくるＲＯＭ再生データをＲＯＭ再生データ記憶部３２若しくはソフトウェアプログラム記憶部３３に記録させ、その旨の通知をソフトウェアプログラム管理部２５に通知（ＲＯＭ再生データ保存通知）してＳ５に進む。
【０１８２】
Ｓ５では、ソフトウェアプログラム管理部２５が、ＲＯＭ再生データ保存通知を受けて、ＲＯＭ再生データ記憶部３２若しくはソフトウェアプログラム記憶部３３に記録されているＲＯＭ再生データを読み出し、読み出したプログラムを起動して「ＥＮＤ」となる。
【０１８３】
次に、図４（ｂ）のＳ１３の動作フローについて説明する。
【０１８４】
Ｓ１３では、識別情報再生通知を受けた再生データ処理部２２３が、再生回路１５から制御部２０に送信されてくるＳ１２で再生された識別情報の再生データを、格納部３の識別情報再生データ記憶部３１に記録させて、その旨をディスク管理部２１に通知（識別情報取得通知）する。
【０１８５】
ディスク管理部２１は、識別情報取得通知を受けて、識別情報再生データ記憶部３１に記録された識別情報に基づいて光ディスク２の構造を特定し、特定された光ディスク２の構造に応じて、層間ジャンプ指示部２２２を動作させる。
【０１８６】
層間ジャンプ指示部２２２は、ピックアップ制御部２３に光ピックアップ１２の再生用レーザの光スポットを現在位置（層間ジャンプ開始位置ＳＰ）から予め定められた層間ジャンプ終了位置ＥＰに層間移動させてＳ１４に進む。
【０１８７】
なお、図４（ｂ）の動作フローでは、層間ジャンプ終了位置ＥＰは、光ディスク２のＲＯＭ層５の外周側に定められているものとする。
【０１８８】
このような層間移動の例としては、図６及び図８のパターンなどが考えられる。
【０１８９】
図６は、光ディスク２で、ＲＯＭ層５の外周側に層間移動させた場合を示している。
【０１９０】
図８は、光ディスク２のＲＯＭ層５を再生光入射方向の奥に、ＲＥ／Ｒ層４を手前に入れ替えた光ディスク２Ｂで、ＲＯＭ層５に層間移動させた場合を示している。
【０１９１】
これらのパターンのように、層間ジャンプ終了位置ＥＰを、光ディスク２及び光ディスク２Ｂの外周側に設定した場合は、ＲＥ／Ｒ層４にある識別情報が、光ディスク２及び光ディスク２Ｂの内周側にある前提では、層間ジャンプ開始位置ＳＰから層間ジャンプ終了位置ＥＰまで光スポットを移動させ、その後、光スポットは、外周側からスタートし、内周側へ移動することになる。
【０１９２】
よって、例えば、ＲＯＭ層５に予め記録された情報を再生した後、内周側スタートのＲＥ／Ｒ層４へアクセスする際、光スポットを移動させる距離が短くすむため、速やかに記録動作に入ることができる。
【０１９３】
〔４．層間移動のタイミング〕
次に層間移動の好ましいタイミングについて説明する。なお、ここでは、光ディスク２を光情報記録媒体の例として説明する。
【０１９４】
層間移動の好ましい第１のタイミングは、管理情報記録領域４２に記録されている管理情報が再生される前である。
【０１９５】
これにより、管理情報を再生する前に、ＲＯＭ層５に予め記録されている情報を再生するので、識別情報の取得後に、管理情報を再生する場合よりも、識別情報の取得からＲＯＭ層５に記録されたプログラムなどを起動させるまでの処理時間を短縮することができる。
【０１９６】
また、層間移動の好ましい第２のタイミングは、ＲＥ／Ｒ層４のユーザ記録領域４３に情報が記録される前である。
【０１９７】
これにより、（記録制御部２６によって）ＲＥ／Ｒ層４に情報が記録される前に、ＲＯＭ層５に予め記録されている情報を再生するので、識別情報の取得後に、ＲＥ／Ｒ層４に情報が記録される場合と比較して、識別情報の取得からＲＯＭ層５に記録されたプログラムなどを起動させるまでの処理時間を短縮することができる。
【０１９８】
以上より、光ディスク装置１によれば、識別情報の取得から光ディスク２、光ディスク２Ａ〜２Ｃなどの光情報記録媒体のＲＯＭ層に記録されたプログラムなどを起動させるまでの処理時間の短縮が可能となる。
【０１９９】
なお、上記では、層間移動用Ｆｌａｇが「１」に設定されている場合は、層間移動が許可されていることを示し、「０」に設定されている場合は、層間移動が許可されていないことを示すことを例に説明したが、これに限定されるものではない。
【０２００】
層間移動が許可されていることを示す情報と、層間移動が許可されていないことを示す情報が、異なるデータとして設定されていれば、上記の説明と同様の動作を行わせることができる。
【０２０１】
（実施形態２）
次に、本発明の実施形態２について説明する。上記の実施形態１においては、図１に示したように、光ディスク２の識別情報記録領域４１に通常の識別情報とは異なる層間移動用Ｆｌａｇが記録されている。そして、この層間移動用Ｆｌａｇは、再生光の光スポット位置のＲＥ／Ｒ層４に含まれる識別情報記録領域４１からＲＯＭ層５への層間移動が許可されたこと若しくは許可されていないことを示す情報である。
【０２０２】
光ディスク装置１は、このような層間移動用Ｆｌａｇの設定内容を認識して層間移動を実行し、そうすることにより、識別情報記録領域４１に予め記録された識別情報の取得からＲＯＭ層５に記録されたプログラムなどを起動させるまでの処理時間を短縮するものであった。
【０２０３】
これに対し、本発明の実施形態２においては、光ディスクの識別情報記録領域に上記の層間移動の許可、不許可を示す情報を通常の識別情報とは別に記録させるものではない。
【０２０４】
すなわち、本実施形態は、光ディスク装置１が光ディスクの識別情報記録領域に予め記録された識別情報から、光ディスクが何層の情報記録層からなり、また、各情報記録層がどのような記録特性を持っているか等の構造を認識することで、現在再生光の光スポット位置があるＲＥ／Ｒ層の他に、ＲＯＭ層が存在することを認識した場合に、上記の層間移動を実行する。このため、上記の層間移動用Ｆｌａｇのような、通常の識別情報とは異なる情報を別途、光ディスクの識別情報記録領域に記録させることが不要となる。
【０２０５】
したがって、本実施形態では、通常の識別情報とは異なる情報の再生が不要となり、その結果、上記の層間移動を実行する時期を早めることができる。
【０２０６】
以下図面を用いて、本発明の実施形態２について説明する。図１０（ａ）は、本発明の実施形態２の光ディスク２Ｄを概念的に示す模式図である。以下、本発明の実施形態１と同様の部分については、同一符号を付し、その詳細な説明は省略する。
【０２０７】
本実施形態の光ディスク２Ｄは、図１０（ａ）に示すように、少なくともＲＥ／Ｒ層（第１情報記録層）４Ｄ及びＲＯＭ層（第２情報記録層）５Ｄを含んでおり、これらの各情報記録層の情報は、再生光によって読み出すことが可能となっている。なお、光ディスク２Ｄでは、情報記録層は、ＲＥ／Ｒ層４Ｄ及びＲＯＭ層５Ｄの２層のみとなっているが、情報記録層は、３層以上であっても良い。また、ＲＥ／Ｒ層４Ｄは、ＲＥ層又はＲ層のいずれであっても良い。
【０２０８】
以下では、主として、本実施形態のＲＥ／Ｒ層４Ｄと上記の実施形態１のＲＥ／Ｒ層４とで異なる点、及び、本実施形態のＲＯＭ層５Ｄと上記の実施形態１のＲＯＭ層５とで異なる点、について説明する。
【０２０９】
先ず、本実施形態のＲＥ／Ｒ層４Ｄと上記の実施形態１のＲＥ／Ｒ層４とで異なる点について説明する。
【０２１０】
図１０（ａ）に示すように、本実施形態のＲＥ／Ｒ層４Ｄは、識別情報記録領域４１Ｄ及びユーザ記録領域４３Ｄを含んでいる。そして、このＲＥ／Ｒ層４Ｄの識別情報記録領域４１Ｄには、通常の識別情報が予め記録されている。
【０２１１】
すなわち、本実施形態のＲＥ／Ｒ層４Ｄの識別情報記録領域４１Ｄは、上記の実施形態１のＲＥ／Ｒ層４の識別情報記録領域４１とは異なり、通常の識別情報とは異なる層間移動用Ｆｌａｇが記録されていない。
【０２１２】
そして、本実施形態の光ディスク２Ｄでは、ＲＥ／Ｒ層４Ｄの識別情報記録領域４１Ｄに識別情報が予め記録されている場合には、再生光の光スポット位置のＲＥ／Ｒ層４Ｄに含まれる識別情報記録領域４１ＤからＲＯＭ層５Ｄへの層間移動が許可されているものとして認識される。
【０２１３】
また、上記の実施形態１と同様、識別情報記録領域４１Ｄに予め記録される識別情報には、ディスクの層のタイプ、ディスクのサイズ、ディスクのバージョン、ディスクへの記録・再生の標準条件、サーボの極性、記録マークの極性及びディスク固有の番号などが含まれる。そして、このような様々な情報の各々は、識別情報記録領域４１Ｄに繰り返し記録されるのが通常である。
【０２１４】
このため、例えば、識別情報記録領域４１Ｄに予め記録されている識別情報の読み出しを開始した後、光ディスク２Ｄの構造が特定できた段階で、予め定められた層間移動を行うように光ディスク装置１を構成すれば良い。
【０２１５】
この場合、識別情報を取得して光ディスク２Ｄの構造の特定ができた後、そのまま同じＲＥ／Ｒ層４Ｄに光スポットを移動させることなく、ＲＯＭ層５Ｄに移動させて、ＲＯＭ層５Ｄに記録された情報（例えば、ソフトウェアなどのプログラム）を読むことが可能となる。
【０２１６】
つまり、識別情報記録領域４１Ｄに予め記録されている識別情報のすべての読み出しを行うことなく、上記の層間移動を行うことができるので、識別情報の取得からＲＯＭ層５Ｄに記録されたプログラムなどを起動させるまでの処理時間を短縮することができる。
【０２１７】
次に、本実施形態のＲＯＭ層５Ｄと上記の実施形態１のＲＯＭ層５とで異なる点について説明する。
【０２１８】
図１０（ａ）に示すように、本実施形態のＲＯＭ層５Ｄは、上記の実施形態１のＲＯＭ層５とは異なり、ＲＯＭ層５Ｄにおける情報の再生を管理するための管理情報が予め記録されている管理情報記録領域５１Ｄを含んでいる。
【０２１９】
もちろん、この管理情報記録領域５１Ｄに予め記録される管理情報は、光ディスク２Ｄにおいて唯一無二の存在である必要はなく、例えば、ＲＥ／Ｒ層４Ｄにも図示しない管理情報記録領域が含まれる場合であれば、その管理情報記録領域にも同一の管理情報が記録されていてももちろん構わない。要は、ＲＯＭ層５Ｄに自身の情報の再生を管理するための管理情報が予め記録された管理情報記録領域５１Ｄを含んでいれば良い。
【０２２０】
さらに、このＲＯＭ層５Ｄの管理情報記録領域５１Ｄは、図１０（ａ）に示すように、ＲＥ／Ｒ層４Ｄの識別情報記録領域４１Ｄの紙面真下に配置されている。図１０（ａ）は、光ピックアップ１２からの再生光のスポット位置が、層間ジャンプ開始位置ＳＰから、層間ジャンプ終了位置ＥＰに層間移動している様子を示すものである。
【０２２１】
具体的には、層間ジャンプ開始位置ＳＰは、識別情報記録領域４１Ｄの識別情報から光ディスク２Ｄの構造が特定された時点での識別情報記録領域４１Ｄ上の位置である。一方、層間ジャンプ終了位置ＥＰは、ＲＯＭ層５Ｄの管理情報記録領域５１Ｄ上の位置である。
【０２２２】
そして、ＲＥ／Ｒ層４Ｄの識別情報記録領域４１ＤからＲＯＭ層５Ｄの管理情報記録領域５１Ｄへの層間移動が最短距離で行われる。
【０２２３】
したがって、識別情報の取得後に直ちに管理情報を再生することができる。このため、ＲＥ／Ｒ層４Ｄの図示しない管理情報記録領域に記録された管理情報を再生する場合と比較して、識別情報の取得からＲＯＭ層５Ｄに記録されたプログラムなどを起動させるまでの処理時間を短縮することができる。
【０２２４】
なお、図１０（ａ）のＲＯＭ層５Ｄの管理情報記録領域５１Ｄは、ＲＥ／Ｒ層４Ｄの識別情報記録領域４１Ｄの紙面真下に配置されているが、本実施形態は、この構成に限られるものではない。例えば、図１０（ｂ）に示す光ディスク２Ｅのように、光ディスク２Ｅの半径方向に沿って、ＲＯＭ層５Ｅの管理情報記録領域５１ＥがＲＥ／Ｒ層４Ｅの識別情報記録領域４１Ｅに近接するように配置されていても良い。
【０２２５】
この場合でも、ＲＥ／Ｒ層４Ｄの識別情報記録領域４１ＤからＲＯＭ層５Ｄの管理情報記録領域５１Ｄへの層間移動が比較的短い距離で行われるので、識別情報の取得後に直ちに管理情報を再生することができる。
【０２２６】
また、図１０（ａ）には、層間ジャンプ終了位置ＥＰがＲＯＭ層５Ｄの管理情報記録領域５１Ｄの中央付近にある例を示しているが、これに限らない。管理情報記録領域５１Ｄ内であればよく、また、管理情報記録領域５１Ｄの近傍領域であってもよい。
【０２２７】
図１０（ｂ）でも、層間ジャンプ終了位置ＥＰがＲＯＭ層５Ｅの管理情報記録領域５１Ｅの中央付近にある例を示しているが、これに限らない。管理情報記録領域５１Ｅ内であればよく、また、管理情報記録領域５１Ｅの近傍領域であってもよい。
【０２２８】
（実施形態３）
次に、本発明の実施形態３について説明する。上記の実施形態１においては、図１に示したように、光ディスク２の識別情報記録領域４１に通常の識別情報とは異なる層間移動用Ｆｌａｇが記録されている。
【０２２９】
これに対し、本発明の実施形態３は、この層間移動用Ｆｌａｇを光ディスク２の識別情報記録領域４１に記録するのではなく、光ディスク２の管理情報記録領域４２に記録する実施形態である。
【０２３０】
以下図１〜３、１１を用いて、本発明の実施形態３について説明する。以下では、主として、本実施形態における光情報再生装置の動作と上記の実施形態１における光情報再生装置の動作とで異なる点について説明する。以下、上記の実施形態１と同様の部分については、同一符号を付し、その詳細な説明は省略する。
【０２３１】
図１１（ａ）は、本実施形態における光情報記録再生装置の動作を示すフローチャートであり、図１１（ｂ）は、本実施における光情報記録再生装置の他の動作を示すフローチャートである。
【０２３２】
先ず、図１１（ａ）の動作フローは、ＲＯＭ層５が光ディスク２の内周側からスタートして、外周側へ再生されていく場合の動作フローを示し、図１１（ｂ）の動作フローは、ＲＯＭ層５が光ディスク２の外周側からスタートして、内周側へ再生されていく場合の動作フローを示す。
【０２３３】
なお、図１１（ａ）及び図１１（ｂ）の動作フローのそれぞれは、光ディスク２のスパイラルの方向によって決まっている。また、図１１（ａ）の動作フローでは、層間ジャンプ終了位置ＥＰは、光ディスク２のＲＯＭ層５の内周側に定められている。一方、図１１（ｂ）の動作フローでは、層間ジャンプ終了位置ＥＰは、光ディスク２のＲＯＭ層５の外周側に定められている。
【０２３４】
本動作フローでは、光ディスク２を用いた場合について説明し、層間移動用Ｆｌａｇが常に「１」に設定されているものとする（すなわち、以下では、層間移動用Ｆｌａｇに関する説明は、省略する）。また、層間移動用Ｆｌａｇが存在するＲＥ／Ｒ層４の管理情報記録領域４２は光ディスク２の内周側に存在し、ユーザ記録領域４３は内周側スタートで外周側へ再生されていくことを前提とする。
【０２３５】
また、図１１（ａ）のステップＳ２２（以下、「ステップ」を省略する）、Ｓ２３、Ｓ２４、及び、図１１（ｂ）のＳ３２、Ｓ３３、Ｓ３４以外の各ステップは、図４（ａ）及び図４（ｂ）の各ステップと共通である。さらに、図１１（ａ）のＳ２２、Ｓ２３及びＳ２４と図１１（ｂ）のＳ３２、Ｓ３３及びＳ３４とは共通である。このため、以下では、図１１（ａ）のＳ２２、Ｓ２３及びＳ２４について説明し、これら３つのステップ以外の各ステップについては、その説明を省略する。
【０２３６】
図１１（ａ）のＳ２２では、ディスク管理部２１が、ディスク装填認識部６からの装填検出信号を受信することをトリガとして、再生制御部２２の識別情報再生指示部２２１を動作させる。
【０２３７】
識別情報再生指示部２２１は、ピックアップ制御部２３にピックアップ駆動回路１３を動作させて光ピックアップの位置を制御させ、レーザ制御部２４にレーザ駆動回路１４を動作させて再生用レーザ（再生光）を光ディスク２に照射させる制御を行わせて、光ディスク２の識別情報記録領域４１に記録されている識別情報を再生し、その旨を再生データ処理部２２３に通知（識別情報再生通知）してＳ２３に進む。
【０２３８】
Ｓ２３では、識別情報再生指示部２２１は引き続き、ピックアップ制御部２３にピックアップ駆動回路１３を動作させて光ピックアップの位置を制御させ、レーザ制御部２４にレーザ駆動回路１４を動作させて再生用レーザ（再生光）を光ディスク２に照射させる制御を行わせて、光ディスク２の管理情報記録領域４２に記録されている管理情報を再生し、その旨を再生データ処理部２２３に通知（管理情報再生通知）してＳ２３に進む。
【０２３９】
Ｓ２４では、識別情報再生通知及び管理情報再生通知を受けた再生データ処理部２２３が、先ず、識別情報再生通知に基づいて、再生回路１５から制御部２０に送信されてくるＳ２２で再生された識別情報の再生データを、格納部３の識別情報再生データ記憶部３１に記録させて、その旨をディスク管理部２１に通知（識別情報取得通知）する。
【０２４０】
ディスク管理部２１は、識別情報取得通知を受けて、識別情報再生データ記憶部３１に記録された識別情報に基づいて光ディスク２の構造を特定する。
【０２４１】
また、再生データ処理部２２３は、管理情報再生通知に基づいて、特定された光ディスク２の構造に応じて、層間ジャンプ指示部２２２を動作させる。
【０２４２】
層間ジャンプ指示部２２２は、ピックアップ制御部２３に光ピックアップ１２の再生用レーザの光スポットを現在位置（層間ジャンプ開始位置ＳＰ）から予め定められた層間ジャンプ終了位置ＥＰに層間移動させてＳ２５に進む。
【０２４３】
本実施形態においては、実施形態１の層間移動用Ｆｌａｇを光ディスク２の管理情報記録領域４２に記録しているが、本発明はこれに限られるものではない。要は、ＲＥ／Ｒ層４Ｄに含まれるユーザ記録領域４３に対し、ユーザが所望の情報を記録（又は追記録）することを開始する以前に、上記の層間移動が実行されるように、層間移動用Ｆｌａｇが記録されるべき記録領域が決められていれば良い。
【０２４４】
そうすることにより、ＲＥ／Ｒ層４にユーザが情報を記録される以前に、ＲＯＭ層５に予め記録されている情報を再生するので、識別情報の取得からＲＯＭ層５に記録されたプログラムなどを起動させるまでの処理時間を短縮することができる。
【０２４５】
なお、本発明の実施形態３は、層間移動用Ｆｌａｇを光ディスク２の識別情報記録領域４１に記録するのではなく、光ディスク２の管理情報記録領域４２に記録する場合を例に説明したが、これに限らない。層間移動用Ｆｌａｇは、光ディスク２の識別情報記録領域４１と管理情報記録領域４２の両方に記録されていてもよい。この場合、識別情報記録領域４１と管理情報記録領域４２の層間移動用Ｆｌａｇの両方、あるいは、いずれかを再生したときに、層間移動が許可されたことを認識し、上記の層間移動を実行することも可能である。
【０２４６】
また、本実施形態３の説明に用いた層間移動用Ｆｌａｇの代わりとして、光ディスクの管理情報記録領域４２に、光ディスクが何層の情報記録層からなり、また、各情報記録層がどのような記録特性を持っているか等の構造を特定するための情報を持たせておき、その情報を光ディスク装置が認識することで、現在再生光の光スポット位置があるＲＥ／Ｒ層の他に、ＲＯＭ層が存在することを認識した場合に、上記の層間移動を実行することも可能である。
【０２４７】
なお、本発明の光情報記録媒体は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体において、前記識別情報は、前記ファイル管理情報が再生される前に前記再生専用層の情報が再生されるための情報を持っていても良い。
【０２４８】
また、本発明の光情報記録媒体は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体において、前記識別情報は、前記記録可能な層の前記記録領域に情報が記録をされる前に前記再生専用層の情報が再生されるための情報を持っていても良い。
【０２４９】
また、本発明の光情報記録再生方法は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体に記録再生を行う光情報記録再生方法において、前記入射面側から最も距離の遠い情報層の識別情報を再生する識別情報再生工程と、前記再生専用層に移動する層移動工程と、前記再生専用層に記録されている情報を再生する再生専用層情報再生工程と、前記記録可能な層の前記ファイル管理情報の再生を行うファイル管理情報再生工程とを含み、前記再生専用層情報再生工程は、前記ファイル管理情報再生工程よりも前に実施しても良い。
【０２５０】
また、本発明の光情報記録再生方法は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体に記録再生を行う光情報記録再生方法において、前記入射面側から最も距離の遠い情報層の識別情報を再生する識別情報再生工程と、前記再生専用層に移動する層移動工程と、前記再生専用層に記録されている情報を再生する再生専用層情報再生工程と、前記記録可能な層の前記記録領域に記録を行う記録工程とを含み、前記再生専用層情報再生工程は、前記記録工程よりも前に実施しても良い。
【０２５１】
また、本発明の光情報記録再生装置は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体に記録再生を行う光情報記録再生装置において、前記入射面側から最も距離の遠い情報層の媒体識別情報を再生する識別情報再生手段と、前記再生専用層に移動する層移動手段と、前記再生専用層に記録されている情報を再生する再生専用層情報再生手段と、前記記録可能な層の前記ファイル管理情報の再生を行うファイル管理情報再生手段とを含み、前記再生専用層情報再生手段における情報の再生は、前記ファイル管理情報再生手段の記録よりも前に実施しても良い。
【０２５２】
また、本発明の光情報記録再生装置は、２層以上の情報層を有し、各層の情報はディスク面片面からの光の入射により再生可能であり、前記情報層のうち、入射面側から最も距離の遠い情報層を含む、少なくとも１つの情報層が記録領域を持つ記録可能な層であり、前記記録可能な層よりも入射面側からの距離が近い、少なくとも１つの情報層が再生専用層であり、前記入射面側から最も距離の遠い情報層に識別情報とファイル管理情報を有し、前記識別情報は、前記ファイル管理情報よりも内周側に存在する光情報記録媒体に記録再生を行う光情報記録再生装置において、前記入射面側から最も距離の遠い情報層の媒体識別情報を再生する識別情報再生手段と、前記再生専用層に移動する層移動手段と、前記再生専用層に記録されている情報を再生する再生専用層情報再生手段と、前記記録可能な層の前記記録領域に記録を行う記録手段とを含み、前記再生専用層情報再生手段における情報の再生は、前記記録手段の記録よりも前に実施しても良い。
【０２５３】
本発明の光情報記録媒体は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体であって、前記識別情報は、前記再生光の光スポット位置を、前記第１情報記録層から前記第２情報記録層への層間移動するために使用されても良い。
【０２５４】
前記識別情報のある半径方向近傍の前記第２情報記録層に、該記録層の再生を管理するための管理情報が予め記録される管理情報記録領域が設けられていても良い。
【０２５５】
本発明の光情報記録媒体は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域を含んでいる光情報記録媒体であって、前記再生光の光スポット位置の前記第１情報記録層に含まれる前記管理情報記録領域から前記第２情報記録層への層間移動が許可されたことを示す層間移動許可情報が、前記管理情報記録領域に記録されていても良い。
【０２５６】
前記第１情報記録層は、さらにユーザが所望の情報を記録することが可能な記録領域を含んでおり、前記記録領域は、前記管理情報記録領域の半径方向近傍に設けられていても良い。
【０２５７】
前記記録領域は、前記管理情報記録領域の半径方向の外周側に設けられていても良い。
【０２５８】
本発明の光情報記録再生装置は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域を含んでいる光情報記録媒体に対して情報の記録及び再生を行う光情報記録再生装置であって、前記識別情報記録領域から前記識別情報を再生する識別情報再生制御手段と、前記識別情報再生制御手段によって再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御手段と、前記第２情報記録層に予め記録されている情報の再生を行う再生制御手段とを備えていても良い。
【０２５９】
前記第１情報記録層は、さらにユーザが所望の情報を記録することが可能な記録領域を含んでおり、前記層間移動は、前記記録領域に情報が記録される前に行われても良い。
【０２６０】
本発明の光情報記録再生装置の制御方法は、２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域を含んでいる光情報記録媒体に対して情報の記録及び再生を行う光情報記録再生装置の制御方法であって、前記識別情報記録領域から前記識別情報を再生する識別情報再生制御工程と、前記識別情報再生制御工程で再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御工程と、前記第２情報記録層に予め記録されている情報の再生を行う再生制御工程とを含んでいても良い。
【０２６１】
前記第１情報記録層は、さらにユーザが所望の情報を記録することが可能な記録領域を含んでおり、前記層間移動は、前記記録領域に情報が記録される前に行われても良い。
【０２６２】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２６３】
最後に、光ディスク装置１の各ブロック、特に制御部２０は、ハードウェアロジックによって構成してもよいし、次のようにＣＰＵを用いてソフトウェアによって実現してもよい。
【０２６４】
すなわち、光ディスク装置１は、各機能を実現する制御プログラムの命令を実行するＣＰＵ（central processing unit）、前記プログラムを格納したＲＯＭ、前記プログラムを展開するＲＡＭ、前記プログラム及び各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、前記光ディスク装置１に供給し、そのコンピュータ（又はＣＰＵやＭＰＵ）が記録媒体に記録されているプログラムコードを読み出し実行することによっても、達成可能である。
【０２６５】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６６】
また、光ディスク装置１を通信ネットワークと接続可能に構成し、前記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【産業上の利用可能性】
【０２６７】
本発明は、ＲＯＭ層、ＲＥ層及びＲ層が混在した多層構造の光情報記録媒体や該光情報記録媒体に情報を記録・再生するための光情報記録再生装置などに広く適用することができる。
【図面の簡単な説明】
【０２６８】
【図１】本発明における光情報記録媒体の一実施形態を概念的に示す模式図である。
【図２】本発明における光情報記録再生装置の一実施形態の概略構成を示すブロック図である。
【図３】前記光情報記録再生装置における主要部の構成を示すブロック図である。
【図４】（ａ）は前記光情報記録再生装置における動作の一例を示すフローチャートであり、（ｂ）は前記光情報記録再生装置における動作の他の例を示すフローチャートである。
【図５】本発明における光情報記録媒体の他の実施形態を概念的に示す模式図である。
【図６】本発明における光情報記録媒体のさらに他の実施形態を概念的に示す模式図である。
【図７】本発明における光情報記録媒体のさらに他の実施形態を概念的に示す模式図である。
【図８】本発明における光情報記録媒体のさらに他の実施形態を概念的に示す模式図である。
【図９】本発明における光情報記録媒体のさらに他の実施形態を概念的に示す模式図である。
【図１０】（ａ）は本発明における光情報記録媒体のさらに他の実施形態を概念的に示す模式図であり、（ｂ）は本発明における光情報記録媒体のさらに他の実施形態を概念的に示す模式図である。
【図１１】（ａ）は前記光情報記録再生装置における動作のさらに他の例を示すフローチャートであり、（ｂ）は前記光情報記録再生装置における動作のさらに他の例を示すフローチャートである。
【符号の説明】
【０２６９】
１    光ディスク装置（光情報記録再生装置）
２，２Ａ〜２Ｅ    光ディスク（光情報報記録媒体）
３    格納部
４，４Ｄ，４Ｅ    ＲＥ／Ｒ層（第１情報記録層）
５，５Ａ，５Ｂ，５Ｄ，５Ｅ    ＲＯＭ層（第２情報記録層）
６    ディスク装填認識部
７    操作部
１０    記録再生回路群
１１    光ヘッド
１２    光ピックアップ
１３    ピックアップ駆動回路
１４    レーザ駆動回路
１５    再生回路
２０    制御部
２１    ディスク管理部
２２    再生制御部（再生制御手段，識別情報再生制御手段、層間移動制御手段）
２３    ピックアップ制御部
２４    レーザ制御部
２５    ソフトウェアプログラム管理部
２６    記録制御部（記録制御手段）
３１    識別情報再生データ記憶部
３２    ＲＯＭ再生データ記憶部
３３    ソフトウェアプログラム記憶部
４１，４１Ｄ，４１Ｅ    識別情報記録領域
４２    管理情報記録領域
４３，４３Ｄ    ユーザ記録領域
５１，５１Ｄ，５１Ｅ    管理情報記録領域
２２１    識別情報再生指示部（識別情報再生制御手段）
２２２    層間ジャンプ指示部（層間移動制御手段）
２２３    再生データ処理部
ＳＰ    層間ジャンプ開始位置
ＥＰ    層間ジャンプ終了位置
層間移動用Ｆｌａｇ（層間移動許可情報）
【図１】
2010135044.tif 000003
【図２】
2010135044.tif 000004
【図３】
2010135044.tif 000005
【図４】
2010135044.tif 000006
【図５】
2010135044.tif 000007
【図６】
2010135044.tif 000008
【図７】
2010135044.tif 000009
【図８】
2010135044.tif 000010
【図９】
2010135044.tif 000011
【図１０】
2010135044.tif 000012
【図１１】
2010135044.tif 000013
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置であって、
前記識別情報記録領域から前記識別情報を再生する識別情報再生制御手段と、
前記識別情報再生制御手段によって再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御手段と、
前記第２情報記録層に予め記録されている情報の再生を行う再生制御手段とを備えていることを特徴とする光情報記録再生装置。
【請求項２】
前記識別情報記録領域に、前記層間移動が許可されたことを示す層間移動許可情報が記録されており、
前記識別情報再生制御手段は、前記識別情報記録領域から前記層間移動許可情報を再生し、
前記層間移動制御手段は、前記識別情報再生制御手段によって前記層間移動許可情報が再生され、かつ、前記識別情報から前記光情報記録媒体の構造が特定された場合に、前記層間移動を行うことを特徴とする請求項１に記載の光情報記録再生装置。
【請求項３】
前記層間移動が許可されたことを示す層間移動許可情報を、前記識別情報記録領域に記録する記録制御手段を備えており、
前記識別情報再生制御手段は、前記識別情報記録領域から前記層間移動許可情報を再生し、
前記層間移動制御手段は、前記識別情報再生制御手段によって前記層間移動許可情報が再生され、かつ、前記識別情報から前記光情報記録媒体の構造が特定された場合に、前記層間移動を行うことを特徴とする請求項１に記載の光情報記録再生装置。
【請求項４】
前記層間移動は、前記第１情報記録層から前記第２情報記録層における自媒体の内周側への層間移動であることを特徴とする請求項１から３までのいずれか１項に記載の光情報記録再生装置。
【請求項５】
前記層間移動は、前記第１情報記録層から前記第２情報記録層における自媒体の外周側への層間移動であることを特徴とする請求項１から３までのいずれか１項に記載の光情報記録再生装置。
【請求項６】
前記層間移動は、前記第１情報記録層から前記第２情報記録層への最短距離の層間移動であることを特徴とする請求項１から３までのいずれか１項に記載の光情報記録再生装置。
【請求項７】
前記層間移動は、前記第１情報記録層に情報が記録される前に行われることを特徴とする請求項１から６までのいずれか１項に記載の光情報記録再生装置。
【請求項８】
前記第１情報記録層は、前記光情報記録媒体における情報の記録及び再生を管理するための管理情報が予め記録される管理情報記録領域を含んでおり、
前記層間移動は、前記管理情報記録領域に記録されている前記管理情報が再生される前に行われることを特徴とする請求項１から７までのいずれか１項に記載の光情報記録再生装置。
【請求項９】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域を含んでいる光情報記録媒体であって、
前記再生光の光スポット位置の前記第１情報記録層に含まれる前記識別情報記録領域から前記第２情報記録層への層間移動が許可されたことを示す層間移動許可情報が、前記識別情報記録領域に記録されており、
前記第１情報記録層及び前記第２情報記録層は、前記層間移動許可情報が認識され、かつ、前記光情報記録媒体の構造が特定された場合に、前記再生光の光スポット位置を、前記第１情報記録層に含まれる前記識別情報記録領域から前記第２情報記録層へ層間移動させることができるように構成されていることを特徴とする光情報記録媒体。
【請求項１０】
前記層間移動は、前記第１情報記録層に含まれる前記識別情報記録領域から前記第２情報記録層における自媒体の内周側への層間移動であることを特徴とする請求項９に記載の光情報記録媒体。
【請求項１１】
前記層間移動は、前記第１情報記録層に含まれる前記識別情報記録領域から前記第２情報記録層における自媒体の外周側への層間移動であることを特徴とする請求項９に記載の光情報記録媒体。
【請求項１２】
前記層間移動は、前記第１情報記録層に含まれる前記識別情報記録領域から前記第２情報記録層への最短距離の層間移動であることを特徴とする請求項９に記載の光情報記録媒体。
【請求項１３】
前記層間移動は、前記第１情報記録層に情報が記録される前に行われることを特徴とする請求項９から１２までのいずれか１項に記載の光情報記録媒体。
【請求項１４】
前記第１情報記録層は、前記光情報記録媒体における情報の記録及び再生を管理するための管理情報が予め記録される管理情報記録領域を含んでおり、
前記層間移動は、前記管理情報記録領域に記録されている前記管理情報が再生される前に行われることを特徴とする請求項９から１３までのいずれか１項に記載の光情報記録媒体。
【請求項１５】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域を含んでいる光情報記録媒体に対して情報の記録及び再生を行う光情報記録再生装置の制御方法であって、
前記識別情報記録領域から前記識別情報を再生する識別情報再生制御工程と、
前記識別情報再生制御工程で再生された前記識別情報から前記光情報記録媒体の構造が特定された場合に、前記再生光の光スポット位置を、前記第１情報記録層に含まれる前記識別情報記録領域から前記第２情報記録層へ層間移動させる層間移動制御工程と、前記第２情報記録層に予め記録されている情報の再生を行う再生制御工程とを含んでいることを特徴とする光情報記録再生装置の制御方法。
【請求項１６】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置であって、
前記識別情報記録領域から前記識別情報を再生する識別情報再生制御手段と、
前記識別情報再生制御手段によって再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御手段と、
前記第２情報記録層に予め記録されている情報の再生を行う再生制御手段と
を備えていることを特徴とする光情報記録再生装置。
【請求項１７】
前記第１情報記録層は、ユーザが所望の情報を記録することが可能なユーザ記録領域をさらに含んでおり、
前記層間移動は、前記ユーザ記録領域に情報が記録される前に行われることを特徴とする請求項１６に記載の光情報記録再生装置。
【請求項１８】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域を含んでいる光情報記録媒体であって、
前記第１情報記録層及び前記第２情報記録層は、前記再生光による前記識別情報の読み出しに起因して、前記再生光の光スポット位置を前記第１情報記録層から前記第２情報記録層へ層間移動させることができるように構成されていることを特徴とする光情報記録媒体。
【請求項１９】
前記第２情報記録層は、該記録層の再生を管理するための管理情報が予め記録される管理情報記録領域を含んでおり、
前記識別情報記録領域と前記管理情報記録領域とは、自媒体の半径方向に沿って近接するように配置されていることを特徴とする請求項１８に記載の光情報記録媒体。
【請求項２０】
２層以上の情報記録層を含んでおり、前記各情報記録層の情報は、再生光によって読み出すことが可能となっており、
前記２層以上の情報記録層のうち、少なくとも一層が、情報を書き換えることが可能な又は情報を追記録することのみが可能な第１情報記録層であり、
前記第１情報記録層と異なる残りの情報記録層のうち、少なくとも一層が、情報を読み出すことのみ可能な第２情報記録層であり、
前記第１情報記録層は、自媒体の構造を示す識別情報が予め記録される識別情報記録領域と該記録層の記録及び再生を管理するための管理情報が予め記録される管理情報記録領域とを含んでいる光情報記録媒体であって、
前記再生光の光スポット位置の前記第１情報記録層に含まれる前記管理情報記録領域から前記第２情報記録層への層間移動が許可されたことを示す層間移動許可情報が、前記管理情報記録領域にさらに記録されており、
前記第１情報記録層及び前記第２情報記録層は、前記層間移動許可情報が認識され、かつ、前記光情報記録媒体の構造が特定された場合に、前記再生光の光スポット位置を、前記第１情報記録層に含まれる前記管理情報記録領域から前記第２情報記録層へ層間移動させることができるように構成されていることを特徴とする光情報記録媒体。
【請求項２１】
前記第１情報記録層は、ユーザが所望の情報を記録することが可能なユーザ記録領域をさらに含んでおり、
前記管理情報記録領域は、自媒体の半径方向に沿って前記ユーザ記録領域の内周側に配置されていることを特徴とする請求項２０に記載の光情報記録媒体。
【請求項２２】
２層以上の情報記録層を含んでおり、前記各情報記録層の情報は、再生光によって読み出すことが可能となっており、前記２層以上の情報記録層のうち、少なくとも一層が、情報を書き換えることが可能な又は情報を追記録することのみが可能な第１情報記録層であり、前記第１情報記録層と異なる残りの情報記録層のうち、少なくとも一層が、情報を読み出すことのみ可能な第２情報記録層であり、前記第１情報記録層は、自媒体の構造を示す識別情報が予め記録される識別情報記録領域と該記録層の記録及び再生を管理するための管理情報が記録される管理情報記録領域とを含んでいる光情報記録媒体に対して情報の記録及び再生を行う光情報記録再生装置の制御方法であって、
前記識別情報記録領域から前記識別情報を再生する識別情報再生制御工程と、
前記識別情報再生制御工程で再生された前記識別情報から前記光情報記録媒体の構造が特定された場合に、前記再生光の光スポット位置を、前記第１情報記録層に含まれる前記管理情報記録領域から前記第２情報記録層へ層間移動させる層間移動制御工程と、
前記第２情報記録層に予め記録されている情報の再生を行う再生制御工程と
を含んでいることを特徴とする光情報記録再生装置の制御方法。
【請求項２３】
請求項１から８、１６、１７までのいずれか１項に記載の光情報記録再生装置における各手段としてコンピュータを動作させるための光情報記録再生プログラム。
【請求項２４】
請求項２３に記載の光情報記録再生プログラムを記録したコンピュータ読み取り可能な記録媒体。